(57)【要約】      （修正有）【課題】小型ギヤードモーターを回転させて、遠隔操作により解錠できる鋼板製物置小屋用引戸の解錠システムを提供する。【解決手段】戸当り柱の空間を利用して解錠装置を取り付ける。該戸当たり柱８の切り欠き部１２にウォームギア１５でレールを伝って移動できる可動板１４を設ける。可動板が切り欠き部分を塞ぐと、鍵フック１１は可動版に引っ掛かり、引き戸は開くことができなくなる。ギヤードモーター４が回転すると回転軸に取り付けられたウォームギア１５も回転するので内ネジギアが移動し、半円形の内ネジギアに固定された可動板１４も同時に移動する。従って、可動板は切り欠き部から外れるので鍵フックは引っ掛かる部分がなくなり引き戸は開けることができる。【選択図】図３
0003144652.tif 000002
【実用新案登録請求の範囲】
【請求項１】
鋼板製物置小屋の引き戸の錠前を小型ギヤードモーターで可動板を移動させ、解錠する装置
【考案の詳細な説明】
【技術分野】
【０００１】  本考案は、鋼板製物置小屋の引き戸の鍵を遠隔操作によって小型ギヤードモーターを回転させて解錠する方法である。
この解錠方法は、引き戸側に取り付けられた錠前を取り換えまたは改良することなく、戸当たり柱側に取り付けて解決するものである。
【背景技術】
【０００２】  通常の物置小屋の錠前は、簡単な構造の錠前が多く使われている。
一方、物置小屋等に使用できるような簡単な電気錠としては現在製品化されておらず、物置小屋に使用する場合は本格的な建築用電気錠を取り付けるしかなかった。
従って、薄型軽量鋼板を用いた一般的な物置小屋に見合った電気錠が要求されていた。
【考案の開示】
【考案が解決しようとする課題】
【０００３】  本案は、従来の引き戸式物置小屋では引き戸側に錠前が付いており反対側の戸当たり柱は鋼板製の中空で、鍵フックが入るだけの穴があいているだけである。
その簡単な構造を利用して戸当たり柱の中空に本考案の解錠装置を取り付けることにより、鍵を用いずに遠隔操作で解錠する。
【課題を解決するための手段】
【０００４】図面により以下説明する。
▲１▼図１模式図は、電源（１）からスイッチ（２）が入るとギヤードモーター（４）が回転し、続いて可動板移動（５）することで切り欠き部開口（６）し、解錠（７）となるものである。
ギヤードモーター回転（４）はタイマー（３）によって一定の時間だけ回転するものである。
▲２▼図２の概要図は、鋼板製物置小屋の戸当り柱（８）には、戸当り面（１３）に鍵フック穴（１０）が開いている。その穴に引き戸（９）を閉めて施錠すると、鍵フック（１１）が弧を描きながら戸当り柱の中に入り込み、切り欠き部（１２）のところで引っ掛かり引き戸は開かなくなる。その鍵フックが引っかかる部分を切り欠くと、鍵フックは引っ掛かる部分がなくなり引き戸は鍵を解くことなく開けることができる。
▲３▼図３の外観図は、戸当たり柱（８）の空間を利用して解錠装置を取り付けるものである。
その戸当たり柱（８）の切り欠き部（１２）にウォームギア（１５）でレール（１７）を伝って移動できる可動板（１４）を設ける。可動板が切り欠き部分を塞ぐと、鍵フックは可動版に引っ掛かり、引き戸は開くことができなくなる。
▲４▼図４は、通常時の状態を平面と断面・側面・後面で現した図である。
▲５▼図５は、解錠時の状態を平面・側面で現した図である。
ギヤードモーター（４）が回転すると回転軸に取り付けられたウォームギア（１５）も回転するので内ネジギア（１６）が移動し、半円形の内ネジギアに固定された可動板（１４）も同時に移動する。従って、可動板は切り欠き部（１２）から外れるので鍵フックは引っ掛かる部分がなくなり引き戸は開けることができる。
▲６▼図６は、リセット時の状態を平面・断面・側面・後面で現した図である。
内ネジギア（１６）がウォームギアの終点に達すると、歯の部分から外れ内ネジギアは空転するため、可動板はその位置で停止する。その後、図２のタイマー（３）によって電源が切れるためギヤードモーターとウォームギアは停止する。
引き戸を元に戻し施錠する場合は、跳ね上げレバー（２１）を矢印方向に引っ張ると、Ｌ字形レバーがギヤードモーターを上に跳ね上げるため、蝶番（２０）によりウォームギア（１５）は、半円形の内ネジギア（１６）から外れる。そのとき、可動板（１４）はスプリング（１８）によって引っ張られ元の位置に戻り施錠が可能となる。
Ｌ字形レバーの引っ張り力を緩めると、ウォームギアはギヤードモーターと共に、スプリング（２２）によって元に戻り内ネジギアの中に収まるため次の解錠が可能となる。
【考案の効果】
【０００５】  鋼板製物置小屋は多種多様な用途があり、中でも町内会等で防災機器を格納した物置小屋が公園などで見受けられる。
それらの物置小屋は、通常は鍵が掛けられており扉を開けることは不可能である。従って、地震による災害時には鍵がないため扉が開かず救助活動が間に合わない場合が想定される。
本考案の解錠装置に地震感知器を組み合わせれば、その不具合が解決されるものである。
また、遠隔操作用の発信機と組み合わせれば離れた場所から解錠が可能であり、暗がりなどで鍵を開ける煩わしさがなくなるものと考えられる。
【考案を実施するための最良の形態】
【０００６】  以下、本考案の実施形態を説明する。
本考案の解錠装置は物置小屋の中にバッテリー等の電源を設置し、ギヤードモーターの動力源とする。
バッテリーの場合の充電は、物置小屋の屋根にソーラ発電パネルを取り付けて充電または商用電源から充電器を用いて充電する方法とする。
また、バッテリー等の電源からは室内照明や解錠中であることを表す赤色回転灯の点灯を行うことが可能である。
【実施例】
【０００７】  本考案の自動解錠システムは、スイッチ操作で解錠装置のギャードモーターに電気を通じると解錠用可動板が移動し、錠を外す方法である。従って物置小屋の引き戸は、通常は施錠された状態であるが、スイッチ等の操作で直ちに自動解錠され容易に扉を開くことが可能である。
【図面の簡単な説明】
【０００８】
【図１】  本考案の模式図
【図２】  本考案の概要図
【図３】  本考案の外観図
【図４】  本考案の通常時の平面・断面・側面・後面図
【図５】  本考案の解錠時の平面・側面図
【図６】  本考案のリセット時の平面・断面・側面・後面図
【符号の説明】
【０００９】  １電源
２スイッチ
３タイマー
４ギヤードモーター
５可動板移動
６切り欠き部開口
７解錠
８戸当たり柱
９引き戸
１０鍵フック穴
１１鍵フック
１２切り欠き部
１３戸当たり面
１４可動板
１５ウォームギア
１６内ネジギア
１７レール
１８スプリング
１９ギヤードモーター取り付け板
２０蝶番
２１跳ね上げレバー
２２スプリング
【図１】
0003144652.tif 000003
【図２】
0003144652.tif 000004
【図３】
0003144652.tif 000005
【図４】
0003144652.tif 000006
【図５】
0003144652.tif 000007
【図６】
0003144652.tif 000008
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
地震発生と同時に、防災救命器具や救出機材を保管した鋼板製物置小屋の鍵を、合い鍵を用いずにギヤードモーターで自動的に解錠するシステム。
鋼板製物置小屋の引き戸についている鍵を取り替えることなく、戸当たり柱の鍵フック穴を可動鉄板で塞ぎ、地震感知器の信号でギヤードモーターに取り付けたウオームギアを回転して可動鉄板を移動することで鍵フック穴を開放して解錠する。
【手続補正書】
【提出日】平成20年5月7日(2008.5.7)
【手続補正１】
【補正対象書類名】実用新案登録請求の範囲
【補正対象項目名】全文
【補正方法】変更
【補正の内容】
【実用新案登録請求の範囲】
【請求項１】
地震発生と同時に、防災救命器具や救出機材を保管した鋼板製物置小屋の鍵を、合い鍵を用いずにギヤードモーターで自動的に解錠するシステム。
【請求項２】
鋼板製物置小屋の引き戸についている鍵を取り替えることなく、戸当たり柱の鍵フック穴を可動鉄板で塞ぎ、地震感知器の信号でギヤードモーターに取り付けたウオームギアを回転して可動鉄板を移動することで鍵フック穴を開放して解錠する請求項１のシステム。